【事件の表示】
　特願２００２−５４９９４４「赤外線ガスアナライザーを用いたガスの検出方法並びにこの方法を実施するのに適しているガスアナライザー」拒絶査定不服審判事件〔平成１４年　６月２０日国際公開、ＷＯ０２／４８６８６、平成１６年　５月２７日国内公表、特表２００４−５１５７７７〕について、次のとおり審決する。
【結　論】
　本件審判の請求は、成り立たない。
【理　由】
１　手続の経緯
　本願は，平成１３年１１月１７日（優先権主張２０００年１２月１３日　ドイツ（ＤＥ））を国際出願日とする出願であって，平成１９年４月１９日付けで拒絶査定がされ，これに対し，同年７月２５日に拒絶査定不服審判の請求が行われるとともに，同年８月２４日付けで手続補正がなされたものである。
　
２　平成１９年８月２４日付け手続補正の補正の適否についての検討
　平成１９年８月２４日付け手続補正は，特許請求の範囲及び明細書について補正をするものであって，そのうち特許請求の範囲の請求項１についての補正は，補正前に「該ガス導体の一方」，「、該ガス導管の第２のもの（１７）」，「該ガス」，「テストガスバックグランドを含んでいることができるそういう形式の方法において、１つのキュベット（２）だけが存在しており、」，「測定個所でピックアップされた測定ガスおよび参照ガスは赤外線ガスアナライザーのキュベットに、これらがキュベットにおいて交番的に存在しているように供給され、」，「測定個所で」，「ピックアップされる場合」及び「交番信号が高められた」とあったものを，それぞれ補正後に「該ガス
導管の第１のガス導管
かつ第２の
管（
（参照）
可能性があり、かつ　１つだけのキュベット（２）が存在している測定個所に場合により存在しているテストガスを検出するための
前記
において前記測定ガスが
、　前記
が前記
前記
前記参照ガスおよび測定ガスが
かつ
ときにだけ
、
　そうすると，本件補正は，平成１８年法律第５５号改正附則第３条第１項によりなお従前の例によるとされる同法による改正前の特許法第１７条の２第４項第４号の明りょうでない記載の釈明を目的とするものに該当する。
　
３　本願発明
　本願の請求項１乃至４０に係る発明は，平成１９年８月２４日付け手続補正書で補正された明細書の特許請求の範囲の請求項１乃至４０に記載された事項により特定されるとおりのものであると認められるところ，請求項１に係る発明は次のとおりである。（以下，請求項１に係る発明を「本願発明」という。）
　
「【請求項１】　測定個所に場合により存在しているテストガスを検出するための方法であって、
　検査すべきガスを収容するキュベット（２）と、該キュベットの一方の端面に配置されている赤外線（Infrarot＝ＩＲ）光源（３）と、キュベットの他方の端面に配置されているＩＲ検知器（４）とを有している赤外線ガスアナライザー（１）が用いられ、
　ＩＲ検知器の信号が測定個所においてピックアップされるテストガスを検出するために用いられ、かつ
　赤外線ガスアナライザーに対してガスを供給するために用いられる２つのガス導管（１５，１７）が用いられ、
該ガス導管の第１のガス導管は測定個所において場合によりテストガスを含んでいる測定ガスをピックアップするように定められておりかつ第２のガス導管（１７）は、測定個所の周囲のガス（参照ガス）をピックアップするように定められており、該（参照）ガスは、測定個所でピックアップされるテストガスの検出の際に考慮されるべきであるテストガスバックグランドを含んでいる可能性があり、かつ
　１つだけのキュベット（２）が存在している
測定個所に場合により存在しているテストガスを検出するための方法において、
　前記測定個所において前記測定ガスがピックアップされ、
　前記参照ガスが前記赤外線ガスアナライザーの前記キュベットに、前記参照ガスおよび測定ガスが交番的に存在しているように供給され、かつ測定個所で、測定ガス中の濃度が参照ガス中のテストガス濃度よりも高いテストガスがピックアップされるときにだけ、ＩＲ検知器から供給される交番信号が、高められたテストガス濃度の検出のために用いられる
ことを特徴とする方法。」
　
４　引用例
（１）引用例１
　原査定の拒絶の理由に引用された，本願優先日前に頒布された刊行物である，国際公開第００／５５６０３号（以下，「引用例１」という。）には，図面とともに次の事項が記載されている。（翻訳は，対応する公表特許公報である特表２００２−５３９４４７号公報の記載による。下線は当審にて付加した。）
　
ア　「【特許請求の範囲】
    【請求項１】  
赤外線ガスアナライザ（１）、例えば、匂い漏れサーチでのガス検知器として使用するためのアナライザであり、測定ガスが貫流しているキュベット（測定キュベット２）、ＩＲ光源（４，５，４２）及び検知器（３５）を有しており
前記検知器（３５）により、前記測定ガス中のＩＲ光吸収量を測定することができる
測定ガスが貫流している測定キュベット（２）の他に、基準ガスが貫流している基準キュベット（３）が設けられており
測定ガス吸い込み個所の周囲環境内で吸い込まれるように構成されており、
前記測定キュベット（２）及び前記基準キュベット（３）には、同一又は別の光源（４，５，４２）並びに同一検知器（３５）が配属されており
前記測定キュベット（２）及び前記基準キュベット（３）を貫通するＩＲ光を変調する手段（３８，４１）が設けられており
測定値形成用の手段（３６）が設けられており、該手段は、前記測定キュベット内でのＩＲ吸収の測定によって得られる信号の際に、前記基準キュベット（３）のガス内でのＩＲ吸収の測定によって得られるバックグランド信号を考慮することができるように構成され
ことを特徴とするアナライザ。
・・・
    【請求項１７】  
請求項１から１６迄の何れか１記載の要件を有する赤外線ガスアナライザの作動方法
キュベット（２，３）内で、交互にＩＲ光吸収度測定を実行し、基準キュベット（３）内での基準ガスの検査によって生じる信号を、測定値形成の際に考慮する
　
イ　「【発明の詳細な説明】
      【０００１】
  
本発明は、赤外線ガスアナライザ、例えば、匂い漏れサーチでのガス検知器として使用するためのアナライザであり、測定ガスが貫流しているキュベット（測定キュベット）、ＩＲ光源及び検知器を有しており、ＩＲ光源は、測定キュベットを貫通するＩＲ光を発生し、検知器により、測定ガス中のＩＲ光吸収量を測定することができるアナライザに関する。更に、本発明は、この種のアナライザの作動方法に関する
      【０００２】
  匂い漏れサーチは、冷却剤又は炭水化物を含む（例えば、冷蔵庫コンデンサ）被検体で使われることが屡々である。この種の漏れサーチでは、被検体内の媒体がテストガス又は測定ガスとして使用される。漏れがある場合、僅かな量の各々の測定ガスが、匂いチューブを介してガス検知器に達し、このガス検知器は、このガスを検知することができるように構成されている。
      【０００３】
  
匂い漏れサーチの場合、匂いの吸い口から、場合によっては生じている漏れから出ている測定ガスだけではなくて、匂いの吸い口の周囲環境からのガスも吸い込まれるという問題がある
この匂いの吸い口の周囲環境からのガスが、測定ガスの僅かな濃度を既に含んでいる場合
・・・
      【０００６】
  従って、本発明が基づく課題は、殊に、漏れサーチ器内でガス検知器として使用することができる日常的に使用することができて、コスト上有利なＩＲガスアナライザを提供することである。更に、ＩＲガスアナライザを使用することによって、上述の、匂い漏れサーチで生じる誤測定を回避することができるようになる。
      【０００７】
  
本発明によると
赤外線ガスアナライザ、例えば、匂い漏れサーチでのガス検知器として使用するためのアナライザであり、測定ガスが貫流しているキュベット（測定キュベット）、ＩＲ光源及び検知器を有しており、ＩＲ光源は、測定キュベットを貫通するＩＲ光を発生し、検知器により、測定ガス中のＩＲ光吸収量を測定することができるアナライザにおいて、測定ガスが貫流している測定キュベットの他に、基準ガスが貫流している基準キュベットが設けられており、測定ガス吸い込み個所の周囲環境内で吸い込まれるように構成されており、測定キュベット及び基準キュベットには、同一又は別の光源並びに同一検知器が配属されており、測定キュベット及び基準キュベットを貫通するＩＲ光を変調する手段が設けられており、測定値形成用の手段が設けられており、該手段は、測定キュベット内でのＩＲ吸収の測定によって得られる信号の際に、基準キュベットのガス内でのＩＲ吸収の測定によって得られるバックグランド信号を考慮することができるように構成されている。測定ガスだけでなく、匂い検知器(Schnueffler)の周囲環境から得られた基準ガスも検査されることにより、測定ガス又は測定値形成時の、障害となる他のガスの全てのアンダーグランド濃度を考慮することができる。最も簡単な場合、基準ガスの検査により得られる信号が、測定ガスの検査によって得られる信号から減算される
      【０００８】
  重要なのは、
１つのＩＲ検知器だけが使用される
２つの別個の光源（各キュベットに対して１つ）を用いる
有意義には、キュベットを貫通するＩＲ光を変調することができる。つまり、さもないと、検知器を１つしか使わないことは不可能となる
　
ウ　「【０００９】
  本発明の別の利点及び詳細について、図１〜５に略示した
実施例
・・・
      【００１１】
  
図１の赤外線ガスアナライザ１は、２つのキュベット２及び３を有しており、該キュベットには、各々１つのＩＲ光源４乃至５が配属されている
      【００１２】
  
キュベットは、各々３つの部分６，７，８乃至９，１０，１１から構成されている
      【００１３】
 
 図示の実施例では、キュベット２は、測定キュベットである
この部分には、例えば、その真ん中に、測定ガス管路（チューブ管路１７）が接続されており、この管路では、匂いの吸い口１８に供試体１９が接続されている
      【００１４】
  
測定キュベット２の部分６は、その前にＩＲ光源が取り付けられており
      【００１５】
  
基準キュベット３は、同様に構成されている。異なる点は、基準キュベット３の真ん中の部分１０がチューブ管路２５に接続されており、チューブ管路の吸い込み開口２６は、匂いの吸い口１８の周囲環境からガスを取り入れる
      【００１６】
  両キュベット２及び３の部分８及び１１は、空間１４の内部に対してＩＲ透過性窓３１，３２で密閉されている。空間１４の外部では、
両キュベット２及び３の部分８及び１１の構成は、両個別キュベット２，３からの光ビームが検知器表面上で集束されるようにフォーカシング装置１２が構成されるようにされている。図１の実施例では、両キュベットは、軸線が連続的に接近するようにして、共通の開口部３４内で終端する。この開口３４の前には、赤外線検知器３５が取り付けられており、その結果、この検知器３５により、両キュベット２及び３内でＩＲ吸収度を測定することができる
      【００１７】
  
ＩＲ吸収測定を両キュベット２及び３内で実行するために、各キュベットを通って入るＩＲ光を変調する必要がある。そのために、図１の実施例では、両ＩＲ光源４及び５と接続されていて、この光源の光を変調する周波数発生器３８が設けられている。この周波数発生器３８は、周期的な矩形波信号を発生し、この信号は、１８０°だけ位相がシフトされて光源４及び５に供給される
　
　これらの記載から，引用例１には「場合によっては生じている漏れから出ている測定ガスを検知する赤外線ガスアナライザの作動方法であって，
　測定ガスが貫流している測定キュベット（２），測定キュベット（２）の部分（６）の前に取り付けられているＩＲ光源（４）及びキュベット（２）の部分（８）の終端の前に取り付けられている検知器（３５）を有している赤外線ガスアナライザ（１）が使用され，
　前記検知器（３５）により，前記測定ガス中のＩＲ光吸収量を測定することができ，
　測定ガスが貫流している測定キュベット（２）の他に，基準ガスが貫流している基準キュベット（３）が設けられており，
　前記測定キュベット（２）及び前記基準キュベット（３）には，別の光源（４，５）並びに同一検知器（３５）が配属されており，
　前記測定キュベット（２）及び前記基準キュベット（３）を貫通するＩＲ光を変調する手段（３８）が設けられ，
　測定値形成用の手段（３６）が設けられており，該手段は，前記測定キュベット内でのＩＲ吸収の測定によって得られる信号の際に，前記基準キュベット（３）のガス内でのＩＲ吸収の測定によって得られるバックグランド信号を考慮することができるように構成され，
　キュベット（２，３）内で，交互にＩＲ光吸収度測定を実行し，基準キュベット（３）内での基準ガスの検査によって生じる信号を，測定値形成の際に考慮するようにされ，
　測定キュベットには，測定ガス管路（チューブ管路（１７））が接続されており，この管路では，匂いの吸い口（１８）を有し，匂いの吸い口（１８）から，場合によっては生じている漏れから出ている測定ガスを吸い込み，
　基準キュベット（３）はチューブ管路（２５）に接続されており，チューブ管路（２５）の吸い込み開口（２６）は，匂いの吸い口（１８）の周囲環境からガスを取り入れ，
　この匂いの吸い口の周囲環境からのガスが，測定ガスの僅かな濃度を既に含んでいる場合がある，方法。」の発明（以下，「引用発明」という。）が記載されているものと認められる。
　
（２）引用例２
　原査定の拒絶の理由に引用された，本願優先日前に頒布された刊行物である，特開昭５６−１２２９３５号公報（以下，「引用例２」という。）には，図面とともに次の事項が記載されている。（下線は当審にて付加した。）
　
ア　「３．発明の詳細な説明
　
本発明は、たとえば、赤外線ガス分析装置において、シングルセルに試料ガスと基準ガスとを一定周期で交互に導入するか又はダブルセルに試料ガスと基準ガスとを一定周期で交互に且つ各セル内のガスが互いちがいとなるように導入する、いわゆる流体変調方式のガス分析装置に関する
　
この流体変調方式のガス分析装置にあつては、検出器で検出される赤外線エネルギーの変化量は、セルでの基準ガスと試料ガスとの置換の時間的な変化によつて影響を受ける
　
イ　「次に、第８図は
シングルセルタイプの流体変調方式赤外線ガス分析装置５１を示し、５２は光源、５３はシングルセル、５４は検出器、５５は試料ガス導入流路、５６は基準ガス導入流路、５７はガス切替用のロータリーバルブ、５８はガス排出流路
ロータリーバルブ５７の切換えにより、一定周期で且つ交互にシングルセル５３内に導入、排出される試料ガス及び基準ガス
　
５　対比
　本願発明と引用発明とを対比する。
　
（１）引用発明の「場合によっては生じている漏れから出ている測定ガスを検知する赤外線ガスアナライザの作動方法」について，アナライザが「匂い漏れサーチでのガス検知器として使用するため」のものであり（摘記事項４（１）イ【０００１】），そのような匂い漏れサーチを行う場所が測定箇所となることは明らかであって，また「赤外線ガスアナライザ」を「作動」させることで測定ガスを検知できることから，「作動方法」は「検知するための方法」と言うことができるから，引用発明の「場合によっては生じている漏れから出ている測定ガスを検知する赤外線ガスアナライザの作動方法」は，本願発明の「測定個所に場合により存在しているテストガスを検出するための方法」に相当する。
　
（２）引用発明の「測定ガスが貫流している測定キュベット（２），測定キュベット（２）の部分（６）の前に取り付けられているＩＲ光源（４）及びキュベット（２）の部分（８）の終端の前に取り付けられている検知器（３５）を有している赤外線ガスアナライザ（１）が使用され」ることは，本願発明の「検査すべきガスを収容するキュベット（２）と、該キュベットの一方の端面に配置されている赤外線（Infrarot＝ＩＲ）光源（３）と、キュベットの他方の端面に配置されているＩＲ検知器（４）とを有している赤外線ガスアナライザー（１）が用いられ」ることに相当する。
　
（３）引用発明の「前記検知器（３５）により，前記測定ガス中のＩＲ光吸収量を測定することができ」ることは，測定したＩＲ光吸収量により，測定ガスを検知するのであるから，検知器の信号が測定ガスの検知に用いられているのは明らかであり，本願発明の「ＩＲ検知器の信号が測定個所においてピックアップされるテストガスを検出するために用いられ」ることに相当する。
　
（４）引用発明の「測定キュベットに」「接続されて」いる「測定ガス管路（チューブ管路（１７））」が「匂いの吸い口（１８）から，場合によっては生じている漏れから出ている測定ガスを吸い込」むことは，本願発明の「第１のガス導管は測定個所において場合によりテストガスを含んでいる測定ガスをピックアップするように定められて」いることに相当し，引用発明の「基準キュベット（３）」「に接続されて」いる「チューブ管路（２５）」の「チューブ管路（２５）の吸い込み開口（２６）は，匂いの吸い口（１８）の周囲環境からガスを取り入れ，この匂いの吸い口の周囲環境からのガスが，測定ガスの僅かな濃度を既に含んでいる場合がある」ことは，本願発明の「第２のガス導管（１７）は、測定個所の周囲のガス（参照ガス）をピックアップするように定められており、該（参照）ガスは、測定個所でピックアップされるテストガスの検出の際に考慮されるべきであるテストガスバックグランドを含んでいる可能性があ」ることに相当する。そうすると，引用発明の上記「測定ガス管路（チューブ管路（１７））」及び「チューブ管路（２５）」によりそれぞれガスを吸い込むことは，本願発明の「赤外線ガスアナライザーに対してガスを供給するために用いられる２つのガス導管（１５，１７）が用いられ、該ガス導管の第１のガス導管は測定個所において場合によりテストガスを含んでいる測定ガスをピックアップするように定められておりかつ第２のガス導管（１７）は、測定個所の周囲のガス（参照ガス）をピックアップするように定められており、該（参照）ガスは、測定個所でピックアップされるテストガスの検出の際に考慮されるべきであるテストガスバックグランドを含んでいる可能性があ」ることに相当する。
　
（５）引用発明において「測定値形成用の手段（３６）が設けられており，該手段は，前記測定キュベット内でのＩＲ吸収の測定によって得られる信号の際に，前記基準キュベット（３）のガス内でのＩＲ吸収の測定によって得られるバックグランド信号を考慮することができるように構成され，　キュベット（２，３）内で，交互にＩＲ光吸収度測定を実行し，基準キュベット（３）内での基準ガスの検査によって生じる信号を，測定値形成の際に考慮するようにされ」ることは，本願発明の「前記参照ガスが前記赤外線ガスアナライザーの前記キュベットに、前記参照ガスおよび測定ガスが交番的に存在しているように供給され、かつ測定個所で、測定ガス中の濃度が参照ガス中のテストガス濃度よりも高いテストガスがピックアップされるときにだけ、ＩＲ検知器から供給される交番信号が、高められたテストガス濃度の検出のために用いられること」と，「参照ガス及び測定ガスが交番的に測定され，ＩＲ検知器からの測定ガスの信号が，参照ガス中のテストガス濃度を考慮されていること」で共通する。
　
　そうすると，本願発明と引用発明とは，
「測定個所に場合により存在しているテストガスを検出するための方法であって、
　検査すべきガスを収容するキュベット（２）と、該キュベットの一方の端面に配置されている赤外線（Infrarot＝ＩＲ）光源（３）と、キュベットの他方の端面に配置されているＩＲ検知器（４）とを有している赤外線ガスアナライザー（１）が用いられ、
　ＩＲ検知器の信号が測定個所においてピックアップされるテストガスを検出するために用いられ、かつ
　赤外線ガスアナライザーに対してガスを供給するために用いられる２つのガス導管（１５，１７）が用いられ、
該ガス導管の第１のガス導管は測定個所において場合によりテストガスを含んでいる測定ガスをピックアップするように定められておりかつ第２のガス導管（１７）は、測定個所の周囲のガス（参照ガス）をピックアップするように定められており、該（参照）ガスは、測定個所でピックアップされるテストガスの検出の際に考慮されるべきであるテストガスバックグランドを含んでいる可能性がある、
測定個所に場合により存在しているテストガスを検出するための方法において、
　前記測定個所において前記測定ガスがピックアップされ、
　参照ガス及び測定ガスが交番的に測定され、ＩＲ検知器からの測定ガスの信号が、参照ガス中のテストガス濃度を考慮されている方法。」である点で一致し，次の点で相違する。
　
相違点１：本願発明では「１つだけのキュベット（２）が存在して」おり，参照ガス及び測定ガスを交番的に測定するために，「前記参照ガスが前記赤外線ガスアナライザーの前記キュベットに、前記参照ガスおよび測定ガスが交番的に存在しているように供給され」るのに対し，引用発明では「測定キュベット（２）」及び「基準キュベット（３）」を用いており，参照ガス及び測定ガスを交番的に測定するために，「前記測定キュベット（２）及び前記基準キュベット（３）には，別の光源（４，５）並びに同一検知器（３５）が配属されており，前記測定キュベット（２）及び前記基準キュベット（３）を貫通するＩＲ光を変調する手段（３８）が設けられ，測定値形成用の手段（３６）が設けられており」，「キュベット（２，３）内で，交互にＩＲ光吸収度測定を実行」するようにされている点。
　
相違点２：ＩＲ検知器からの測定ガスの信号が、参照ガス中のテストガス濃度を考慮されていることに関し，本願発明では「測定個所で、測定ガス中の濃度が参照ガス中のテストガス濃度よりも高いテストガスがピックアップされるときにだけ、ＩＲ検知器から供給される交番信号が、高められたテストガス濃度の検出のために用いられる」ようにされているのに対し，引用発明ではそのような構成について明らかではない点。
　
６　判断
　上記各相違点について判断する。
　
（１）相違点１について
　引用例２には，いわゆる流体変調方式のガス分析装置として，シングルセル又はダブルセルを用いるものがあること，流体変調方式のガス分析装置にあつては，セルでの基準ガスと試料ガスとの置換の時間的な変化によつて，検出器で検出される赤外線エネルギーの変化量が影響を受けること，そして，シングルセルタイプの流体変調方式赤外線ガス分析装置として，シングルセルに，ロータリーバルブの切換えにより，一定周期で且つ交互に試料ガス及び基準ガスを導入，排出することが記載されている。このような流体変調方式のガス分析装置は，基準ガスをセルに導入したときの検出器で検出される赤外線エネルギーを基準として，試料ガスをセルに導入したときの検出器で検出される赤外線エネルギーの変化量に基づいて，試料ガスの分析を行うことを測定原理としていることは，当業者には明らかである。
　ここで，引用発明において，測定キュベット（２）及び基準キュベット（３）を用いているのは，キュベット（２，３）内で，交互にＩＲ光吸収度測定を実行することで，基準キュベット（３）内での基準ガスの検査によって生じるバックグランド信号を，測定値形成の際に考慮するためであり，すなわち，基準キュベットで測定した信号を基準として，測定キュベットで測定した信号の変化量を，測定値としているものである。
　そうすると，引用例２に示された技術的事項を鑑みて，引用発明がいわゆる流体変調方式のガス分析の測定原理に基づいていることは，当業者であれば当然に理解し得たものであり，そのようなガス分析装置として，シングルセル又はダブルセルを用いるものがあること，また，シングルセルタイプの流体変調方式赤外線ガス分析装置の具体的な構成が引用例２に示されているのであるから，引用発明において，流体変調方式によるガス分析を，ダブルセルを用いて行う構成に代えて，シングルセルを用いて行うよう構成すること，すなわち，引用発明の基準キュベット，基準キュベットの光源及びＩＲ光を変調する手段をそれぞれ設け，キュベット（２，３）内で交互にＩＲ光吸収度測定を実行する構成に代えて，引用例２に示されるように，１つだけのキュベットである測定キュベットに，測定ガス管路（チューブ管路（１７））からの測定ガス及びチューブ管路（２５）からの匂いの吸い口の周囲環境からのガスを，交互に導入することで，測定を行うように構成することは，当業者であれば容易に為し得たものである。
　
（２）相違点２について
　上記相違点２にかかる本願発明の構成に関して，本願の発明の詳細な説明には，次のような記載がある。「・・・測定ガス中の、すなわち測定個所におけるテストガスの濃度が参照ガスにおけるテストガスの濃度より
高いとき
含んでいると
とき生じる
時にだけ
　一方，引用発明においても，基準キュベット（３）のガス内でのＩＲ吸収の測定によって得られるバックグランド信号を，測定値形成の際に考慮するようにされており，測定値が形成されるのは，バックグランド信号より高い測定信号が得られたときであって，そのようなときは，測定ガスの濃度が，基準ガスに含まれる測定ガスの濃度より高いときのみであることは，当業者には明らかである。
　上記相違点１について示したように，引用発明において，シングルセルを用いて測定しようとする構成を採用したときにも，上記の通りであることは明らかである。
　そうすると，上記相違点２は，実質的に相違するものではない。
　
　そして，本願発明の作用効果は，引用発明及び引用例２に示された技術的事項から，当業者であれば予測できる範囲のものである。
　
（３）なお請求人は，平成２０年１１月７日付けの審尋に対する平成２１年２月１６日付けの回答書にて，出願当初の請求項１，７及び８に基づいた補正案を提示している。当該補正案は，具体的には，出願当初の請求項１に，「ガスアナライザーの機能性が連続的に監視され、ここで基本周波数ｆｇで行われるガス交換に対して付加的に、ＩＲ光源（３）は少なくとも一時的に参照周波数ｆｒによって変調される」との構成を付加するものである。ここで，「ガスアナライザーの機能性が連続的に監視され」とは，発明の詳細な説明の【０００７】，【０００８】，【００２９】乃至【００３２】段落を参照すると，汚れによる感度低下の障害を監視するものである。一方，ガス分析計において，光源を変調し，変調周波数に同期した出力を得ることで，光学系の影響のない測定を行うことは，例えば特開昭６３−３１１１４６号公報（特に第４頁右上欄第１４行目から第６頁左上欄第１５行目の，基本周波数とは異なる周波数で光源を変調する構成）又は特開平５−２９６９２２号公報（特に【００２９】から【００３１】段落の，半導体レーザ１の駆動電流を変調する構成）それぞれに記載されるように，周知の技術である。してみると，上記補正案によっても，その進歩性を認めることはできない。　
　
７　むすび
　以上の通り，本願発明は，引用発明及び引用例２に示された技術的事項に基づいて，当業者が容易に発明をすることができたものであるから，特許法２９条２項の規定により特許を受けることができない。
　
　したがって，請求項２乃至４０に係る発明について審理するまでもなく，本件出願は拒絶されるべきものである。
　
　よって，結論のとおり審決する。